(57)【要約】【課題】従来の方式では、統制局から一斉通信の対象である移動局に対して、１局ずつ受令確認を行うため、一斉通信の対象となる移動局の台数が多くなる程、受令確認応答信号の収集に時間がかかる欠点がある。本発明はこの欠点を解決し、統制局から複数の移動局に対して一斉通信後の受令確認応答信号の収集時間を短縮化して通信効率のよい受令確認方式を提供することを目的とする。【解決手段】本発明は上記の目的を達成するため、所属するグループ内の全移動局に対し、予め通し番号を付与し、設定する。所定グループに一斉通信後の受令確認信号を一斉通信の扱いで１回送出することで、対象の全移動局は前記受令確認信号受信時点を起点として前記通し番号の順番に各移動局が受令確認応答信号を送信し、統制局で前記各移動局から送信された受令確認応答信号を前記通し番号の順番に収集するものである。【選択図】図１
2004015774.tif 000002
【特許請求の範囲】
【請求項１】
統制局と基地局と複数の移動局を含む無線通信システムの一斉通信に対する受令確認方式において、前記統制局で前記一斉通信の結果を前記複数の移動局から収集するため、前記複数の移動局へ一斉に受令確認を要求する信号を送信する手段と、前記複数の移動局で、前記一斉通信を受信したとき、該受信状態を保存する手段を有し、前記統制局からの一斉受令確認信号を受信して、予め付与した順番で受令確認応答信号を送出する手段とを有することを特徴とする無線通信システムの受令確認方式。
【発明の詳細な説明】
【０００１】
【発明の属する技術分野】
本発明は無線通信システムの例えば、デジタル地域防災無線システムにおける一斉通信後の受令確認方式に関するものである。
【０００２】
【従来の技術】
無線通信システムの例えば、デジタル地域防災無線システムのシステム構成例を図３に示す。１はシステムの通信を統括する統制局、２から４はシステムを構成する移動局、１０は前記移動局２から４と通信する基地局である。統制局１から任意グループに所属する複数の移動局、ここでは移動局２から４に対する一斉通信を行った後に行う受令確認の従来方式動作シーケンスを図２示す。図２（ａ）は動作シーケンス図で、図２（ｂ）はタイムチャートである。図２（ａ）の５は統制局から基地局１０を介して送信する一斉通信で、６は一斉通信５を送信した後に対象局である移動局２から４に対して前記統制局１から前記基地局１０を介して移動局２から４に対して送出する受令確認信号で、７は該受令確認信号６を受信して、前記一斉通信５に対する移動局２の受信状態を応答として前記統制局１へ送信する受令確認応答信号で、８は前述同様移動局３が応答として送信する受令確認応答信号で、９も前述同様移動局４が応答として送信する受令確認応答信号である。図２（ｂ）は上記の動作シーケンスをタイムチャートで示したものである。
【０００３】
以下にシステムの動作を説明する。統制局１の扱い者の操作により前記統制局は基地局１０を介して移動局２、移動局３、移動局４に対して一斉通信５を送信する。前記移動局２、３、４は一斉通信５を受信し、該一斉通信５の内容を通報出力する。前記移動局局２、３、４の扱い者は前記一斉通信５の通報内容を確認して受令確認応答操作を行う。該受令確認応答操作の結果を前記移動局２、３、４は夫々保存しておく。次に統制局１の扱い者は前記一斉通信５の受令状態の結果情報を収集するため受令確認起動操作を行う。該受令確認起動操作により前記統制局１は前記一斉通信５を正常に受信したか否かを各移動局に確認するための受令確認信号６を順次送信する。まず、前記統制局１から前記移動局２に対し受令確認信号６を送出する。前記移動局２は前記受令確認信号６を受信して、前記一斉通信５に対する受令確認応答操作の保存結果である受信状態を前記統制局１へ受令確認応答信号７として送信する。該受令確認応答信号７を前記統制局１が受信して次に、移動局３へ同様に前記受令確認信号６を送信し、前記移動局３から前記保存してある受信状態情報を受令確認応答信号８として受信する。順次、移動局４に対しても同様に前記受令確認信号６を送信し、前記移動局４から受令確認応答信号９を受信する。前記統制局１は一斉通信５の対象局である前記移動局２、３、４の前記受令確認応答信号７、８、９を受信して、受令確認結果を表示する。以上説明したように、従来の受令確認方式は統制局１から送信した一斉通信５の対象である移動局２、３、４に対し、受令確認信号６を１局ずつ別々に送出し、その都度当該移動局から受令確認応答信号を受信する繰返し動作による個別受令確認方式である。
【０００４】
【発明が解決しようとする課題】
前記の従来の方式では、統制局から一斉通信の対象である移動局に対して、１局ずつ受令確認を行うため、一斉通信の対象となる移動局の台数が多くなる程、受令確認応答信号の収集に時間がかかる欠点がある。本発明はこの欠点を解決し、統制局から複数の移動局に対して一斉通信後の受令確認応答信号の収集時間を短縮化して通信効率のよい受令確認方式を提供することを目的とする。
【０００５】
【課題を解決するための手段】
本発明は上記の目的を達成するため、所属するグループ内の全移動局に対し、予め通し番号を付与し、設定する。所定グループに一斉通信後の受令確認信号を一斉通信の扱いで１回送出することで、対象の全移動局は前記受令確認信号受信時点を起点として前記通し番号の順番に各移動局が受令確認応答信号を送信し、統制局で前記各移動局から送信された受令確認応答信号を前記通し番号の順番に収集するものである。
【０００６】
【発明の実施の形態】
以下、本発明の一実施例である一斉通信を行った後に行う受令確認の方式動作シーケンスを図１によって説明する。図１（ａ）は動作シーケンス図で、図１（ｂ）は動作シーケンスをタイムチャートで示したものである。システムの構成例は従来技術で説明した図３と同じである。図１（ａ）、（ｂ）の１から５は従来技術で説明した内容と同じである。１１は統制局１から基地局１０を介して移動局２から４に対して一斉に送信する一斉通信の扱いである一斉受令確認信号で、１２は移動局２で前記統制局１から送信された前記一斉受令確認信号１１に対応する受令確認応答信号で、１３は前述同様移動局３の前記一斉受令確認信号１１に対応する受令確認応答信号で、１４も前述同様移動局４の前記一斉受令確認信号１１に対応する受令確認応答信号である。
【０００７】
以下にシステムの動作を説明する。予め移動局２から４の順で通し番号を付与し、各移動局に設定しておく。統制局１から基地局１０を介して移動局２、３、４に対して一斉通信５を行う。前記移動局２、３、４は一斉通信５を受信し、該一斉通信５の通報内容を出力する。前記移動局２、３、４の扱い者は、通報内容を確認し、受令確認応答操作を行う。該受令確認応答操作結果は夫々の移動局で保存しておく。前記一斉通信５の送信が終了後、前記統制局１は前記一斉通信５が各移動局で正常に受信したか否かを確認する受令確認のための一斉受令確認信号１１を各移動局に対して一斉送信する。前記移動局２、３、４は前記一斉受令確認信号１１を受信し、前記にて保存してある受令確認応答操作結果を受令確認応答信号１２、１３、１４として前記予め付与してある通し番号順に従って順次、自局のフレームタイミングで前記統制局１へ送信する。
【０００８】
【発明の効果】
以上、本発明により、統制局から一斉通信後に行う受令確認において、対象となる移動局の受令確認情報の収集時間を短縮することができる。特に、対象となる移動局数が多くなるほど、移動局の受令確認情報の収集時間短縮効果は増大する。
【図面の簡単な説明】
【図１】本発明の一実施例を示す動作シーケンスとタイムチャート
【図２】従来技術の一実施例を示す動作シーケンスとタイムチャート
【図３】システム構成を示す図
【符号の説明】
１：統制局、２〜４：移動局、５：一斉通信、６：受令確認信号、７〜９：受令確認応答信号、１０：基地局、１１：一斉受令確認信号、１２〜１４：受令確認応答信号
【図１】
2004015774.tif 000003
【図２】
2004015774.tif 000004
【図３】
2004015774.tif 000005